(57)【特許請求の範囲】
【請求項１】
上部光源と、下部光源と、制御装置とを有する照明装置であって、
前記上部光源の光軸は斜め下向きに設定され、
前記下部光源の光軸は上向きに設定され、
前記制御装置は、前記上部光源及び前記下部光源を、前記下部光源のみが点灯する第一段階、前記下部光源及び前記上部光源の両方が点灯する第二段階、及び前記上部光源のみが点灯する第三段階の順に制御可能に構成され、
透光性を有する前面板を更に有し、
前記上部光源の光軸は前記前面板と交わり、
前記下部光源からの直接光又は反射光が前記前面板から外部へ透過可能である、
照明装置。
【請求項２】
前記制御装置は、前記第一段階において前記下部光源の照度を漸増させる、請求項１に記載の照明装置。
【請求項３】
前記制御装置は、前記第一段階から前記第二段階へ移行するのに引き続いて、前記上部光源の照度を漸増させる、請求項１又は２に記載の照明装置。
【請求項４】
前記制御装置は、前記第二段階から前記第三段階へ移行するまで、前記下部光源の照度を漸減させる、請求項１〜３のいずれか一項に記載の照明装置。
【請求項５】
前記制御装置は、前記第一段階、前記第二段階、及び前記第三段階の順に進行するに従い、前記上部光源及び前記下部光源の少なくとも一方の色温度を徐々に上昇させる、請求項１〜４のいずれか一項に記載の照明装置。
【請求項６】
前記上部光源及び前記下部光源からの光を反射可能な位置に設置される背面板を更に有する、請求項１〜５のいずれか一項に記載の照明装置。
【請求項７】
前記照明装置が寝具と隣接して用いられる場合であって、前記照明装置が前記寝具上の就寝者の頭部側に設置される場合、前記上部光源の光軸は、前記就寝者の目又は頭部の位置近傍への方向から、ほぼ鉛直下方向までの角度範囲内に存在する、請求項１〜６のいずれか一項に記載の照明装置。
【請求項８】
前記上部光源及び前記下部光源はそれぞれ水平方向に延在する線状光源である、請求項１〜７のいずれか一項に記載の照明装置。
【請求項９】
前記上部光源及び前記下部光源はそれぞれ、隣接する複数列の線状ＬＥＤアレイから構成され、
前記複数列の線状ＬＥＤアレイのうち、一の列の線状ＬＥＤアレイを構成するＬＥＤの発光色と、他の列の線状ＬＥＤアレイを構成するＬＥＤの発光色とが、互いに異なる、請求項８に記載の照明装置。
【請求項１０】
前記上部光源及び前記下部光源はそれぞれ、隣接する複数列の線状ＬＥＤアレイから構成され、
前記複数列の線状ＬＥＤアレイの各列の線状ＬＥＤアレイは、発光色の異なる複数のＬＥＤが交互に又は一定の順に配列されてなり、
前記複数列の線状ＬＥＤアレイの隣接方向において隣接する複数のＬＥＤの発光色が互いに異なる、請求項８に記載の照明装置。
【請求項１１】
前記前面板は導光板からなり、
前記前面板の端部に隣接され、光軸が前記前面板の内部方向に設定された中間光源を更に有する、請求項１〜１０のいずれか一項に記載の照明装置。
【請求項１２】
請求項１〜１１のいずれか一項に記載の照明装置をヘッドボードとして有するベッド。
【発明の詳細な説明】
【技術分野】
【０００１】
本発明は照明装置に関するものであり、より詳しくは、寝室用の目覚まし装置として好適に用いることができる照明装置に関するものである。
【背景技術】
【０００２】
近年、寝室に設置した照明装置により目覚めを促す構成が提案されている。また、目覚めの質にも関心が高まっており、より良い目覚めを促すため、生体リズムに基づき目覚め感を向上させようとする研究も行われるようになってきている。
【０００３】
特許文献１には、起床希望時刻を設定する設定手段と、低照度光と中照度光と高照度光の少なくとも三種の照度の光を発生する光発生手段と、設定された起床希望時刻に応じて光発生段が発生する光の照度を低照度、中照度、高照度の順に変化させるとともに、光発生手段は、就寝者から直接見えない位置に配される第一の光発生手段と、就寝者から直接見える位置に配される第二の光発生手段を有しており、低照度から中照度へ変化する場合には、第一の光発生手段が光を発生し、中照度から高照度へ変化する場合には、第一の光発生手段及び第二の光発生手段が光を発生する目覚まし装置が開示されている。
【先行技術文献】
【特許文献】
【０００４】
【特許文献１】特開２００７−１４７３６１号公報
【発明の概要】
【発明が解決しようとする課題】
【０００５】
特許文献１の技術は、２つの別個の光源を利用することにより起床時の目覚まし用の照明を行うものであるが、離設された２つの光源の間で光の連続性がなく、実際の夜明けの様子と比べると、自然さに欠けるものであった。また、目覚まし装置としての機能に特化しているため、就寝者から直接見えない位置に配される第一の光発生手段は目覚まし用途以外の用途が不明確であり、例えば、足元照明を行いたいと考えた場合には、目覚まし装置とは別に足元照明用の照明装置を更に用意する必要があった。
【０００６】
本発明は前記問題を解決するためになされたものであって、その目的は、自然で覚醒効果の高い照明を実現し、かつ、複数の照明用途を兼ね備えた照明装置を提供することにある。
【課題を解決するための手段】
【０００７】
本発明者らは前記課題を解決するために鋭意検討を重ねた結果、下記のように本発明の各局面に想到した。
【０００８】
第１の局面によれば、上部光源と、下部光源と、制御装置とを有する照明装置であって、上部光源の光軸は斜め下向きに設定され、下部光源の光軸は上向きに設定され、制御装置は、上部光源及び下部光源を、下部光源のみが点灯する第一段階、下部光源及び上部光源の両方が点灯する第二段階、及び上部光源のみが点灯する第三段階の順に制御可能に構成される、照明装置である。このように構成された照明装置を寝室用の目覚まし装置として用いた場合、起床時に、徐々に太陽が地平線又は水平線から昇っていく様子（つまり日の出の様子）を模した発光制御を行うことができ、より自然な目覚めを促し、覚醒効果を向上させることが可能となる。また、覚醒後期にあたる第三段階においては覚醒効果の比較的低い下部光源を消灯するため、省エネルギーである。
【０００９】
制御装置は、第一段階において下部光源の照度を漸増させるものとしても良い（第２の局面）。また、制御装置は、第一段階から第二段階へ移行するのに引き続いて、上部光源の照度を漸増させるものとしても良い（第３の局面）。また、制御装置は、第二段階から第三段階へ移行するまで、下部光源の照度を漸減させるものとしても良い（第４の局面）。このような制御を行うことにより、徐々に太陽が昇っていく様子を、より忠実に模すことが可能となる。
【００１０】
第５の局面によれば、制御装置は、第一段階、第二段階、及び第三段階の順に進行するに従い、上部光源及び下部光源の少なくとも一方の色温度を徐々に上昇させるものとしても良い。このように、日の出から太陽が上昇するに従い太陽及び周辺の色温度が徐々に上昇していく様子を模すことで、より自然な目覚めを促すことが可能となる。
第６の局面によれば、照明装置は、上部光源及び下部光源からの光を反射可能な位置に設置される背面板を更に有するものとして良い。これにより、背面板が反射面として機能することから、上部光源及び下部光源の照度の変化により、発光領域を変化させることができ、発光領域の変化により、太陽高度（日の出）を模すことができる。また、広い面積での面発光を実現できることから、例えば照明装置を読書灯として用いた場合には、使用者がどのような体勢であっても、使用者の体による影が形成されにくく、優れた照明効果を発揮することができる。
【００１１】
第７の局面によれば、照明装置が寝具と隣接して用いられる場合であって、照明装置が寝具上の就寝者の頭部側に設置される場合、上部光源の光軸は、就寝者の目又は頭部の位置近傍への方向から、ほぼ鉛直下方向までの角度範囲内に存在することが好ましい。このように、就寝者の目又は頭部の位置近傍よりもヘッドボード側を照射することで、グレアが低減され、照射範囲が狭まることで部屋全体を照らすことを抑制し、他者の目覚め、覚醒を防止することができる。これとは逆に、上部光源の光軸が就寝者の目（または頭部）よりも反ヘッドボード側、つまり体側を向いていると、部屋全体が明るくなり、他の就寝者にとって目障りとなってしまう。なお、就寝者の目又は頭部の位置とは、標準的な身長及び体格を有する成人が寝具上で就寝した場合の目又は頭部の位置をいう。
【００１２】
第８の局面によれば、上部光源及び下部光源はそれぞれ水平方向に延在する線状光源であるものとして良い。このように特に上部光源が線状光源とされていることにより、照明装置を目覚まし装置として用いた場合、就寝者が寝返りを打ったとしても上部光源からの光が就寝者の目周辺から外れにくくなるため、高い覚醒効果を維持することができる。また、照明装置を読書灯として用いた場合には、使用者の体によっても影が発生しにくく、優れた照明効果を発揮することができる。
【００１３】
この場合、上部光源及び下部光源はそれぞれ、隣接する複数列の線状ＬＥＤアレイから構成され、複数列の線状ＬＥＤアレイのうち、一の列の線状ＬＥＤアレイを構成するＬＥＤの発光色と、他の列の線状ＬＥＤアレイを構成するＬＥＤの発光色とが、互いに異なるものとしても良い（第９の局面）。このような構成とすることで、上部光源及び下部光源のそれぞれの色調（色温度）を自由に調節することが可能となる。これにより、より実際の太陽光に近い色合いや、夜明けの太陽光の色合いの変化を表現することができる。発光色の異なる複数のＬＥＤとして、例えば、色温度が２３００Ｋ付近と７０００Ｋ付近の２色のＬＥＤを用いたり、更に４０００〜５０００ＫのＬＥＤを含む３色のＬＥＤを用いたりすることができる。
【００１４】
上部光源及び下部光源がそれぞれ、隣接する複数列の線状ＬＥＤアレイから構成される構成において、別の例として、複数列の線状ＬＥＤアレイの各列の線状ＬＥＤアレイは、発光色の異なる複数のＬＥＤが交互に又は順に配列されてなるものとしても良く、複数列の線状ＬＥＤアレイの隣接方向において隣接する複数のＬＥＤの発光色が互いに異なるものとしても良い（第１１の局面）。こうすることにより、複数列並んだ線状ＬＥＤアレイの縦横どちらの方向においても、発光色ムラの発生を抑制することができる。
【００１５】
また、照明装置は、透光性を有する前面板を更に有するものとしても良く、この場合、上部光源の光軸は前記前面板と交わり、下部光源からの直接光又は反射光が前記前面板から外部へ透過可能であるものとしても良い（第１１の局面）。こうすることで上部光源の有する高い目覚まし効果が確保でき、下部光源へのほこりの堆積を防止することもできる。しかも、このような構成は、照明装置をより多用途に用い得るという特徴を意図したものであり、例えば、下部光源を足元灯や常夜灯として用いることも可能となる。この場合、下部光源の高さは、好ましくはベッドマットレス上面より低く設定し、より好ましくは、ベッド基台の高さより低く床面より高く設定する（図６参照）。
更に、前面板は導光板からなり、前面板の端部に隣接され、光軸が前記前面板の内部方向に設定された中間光源を更に備えるものとしても良い（第１２の局面）。このような構成では、前面板と中間光源との協働により面発光を行うことができる。また、中間光源を上部光源や下部光源と組み合わせて用いれば、上記の目覚まし装置としての機能や、読書灯としての機能をより効果的に発揮することができる。
また、第１３の局面のように、上記の照明装置をベッドのヘッドボードとして用いた場合には、上記の各効果が好適に発揮される。
【図面の簡単な説明】
【００１６】
【図１】本発明の一実施形態による照明装置１の外形を表した斜視図である。
【図２】照明装置１の分解図である。
【図３】照明装置１をベッド２に隣接させて使用する例を表す概略図である。
【図４】図３の照明装置１およびベッド２を表す正面図である。
【図５】図４中の照明装置１を表す正面図である。
【図６】図４中のＡ−Ａ断面における照明装置１およびベッド２を表す部分断面図である。
【図７】図４中のＢ−Ｂ断面における照明装置１およびベッド２を表す部分断面図である。
【図８】本実施形態の各光源を構成する線状ＬＥＤアレイの一部分を表す模式図であり、図８（ａ）は複数の線状ＬＥＤアレイ間でＬＥＤの発光色を相違させた例、図８（ｂ）は各線状ＬＥＤアレイ中で複数のＬＥＤの発光色を相違させた例をそれぞれ表す。
【図９】本実施形態の照明装置１の構成を示すブロック図である。
【図１０】本実施形態による照明装置１を目覚まし装置として用いた場合の照明動作を表す説明図である。
【図１１】上部光源の光軸の向きを説明する説明図である。
【図１２】図５中の領域Ｃの内部を拡大して表す断面図であり、図１２（ａ）は本実施形態による照明装置１の部分を表し、図１２（ｂ）および図１２（ｃ）は本実施形態の複数の変形例による照明装置の部分を表す。
【発明を実施するための形態】
【００１７】
以下、本発明を具体化した一実施形態に係る照明装置１について、図面を参照しながら説明する。
図１は一実施形態に係る照明装置１の外観を示す斜視図である。図１に示すように、照明装置１は全体的には平板に近い形状を有しており、その外形は前面板１０、背面板２０、上蓋部３０、および下部板部４０から形成されている。
図２に照明装置１の分解図を示す。前面板１０は透明な、又は透光性を有する材質（ポリカーボネート、ガラス、アクリル等）からなる。本実施形態では前面板１０は全体としてＬ字状を呈しているが、これに限定されない。背面板２０、上蓋部３０及び下部板部４０はそれぞれ木材、プラスチック、金属など剛性を有する素材により形成されている。これらの前面板１０、背面板２０、上蓋部３０、及び下部板部４０が組み立てられることにより照明装置１の外形が形成され、内部に空間が形成される。下部板部４０は、照明装置１の底面を構成する底部４０１と、照明装置１の前面の一部を構成する板部４０２とを有する（図６参照）。そして照明装置１はその空間の内部に上部光源５０、下部光源６０を内蔵し、前面板１０の端部と下部板部４０の板部４０２の端部との間に中間光源７０を有する。上部光源５０、下部光源６０はそれぞれ照明装置１の水平方向（横方向）に延設される。図２の実施形態では、中間光源７０は水平方向に延設される第一中間光源部７０１と、垂直方向（鉛直方向）に延設される第二中間光源部７０２とに分かれている。図２に示すように、上部光源５０、下部光源６０、第一中間光源部７０１及び第二中間光源部７０２はそれぞれ線状光源からなる。本実施形態においては、それらは線状ＬＥＤアレイからなるが、これに限定されない。
【００１８】
図３は、本実施形態の照明装置１がヘッドボードとしてベッド２と共に用いられる場合の通常の使用態様、即ち、照明装置１がベッド２の前端部に隣接して使用される使用態様を表したものである。ベッド２はマットレス８０と基台９０とを有する。図４は、図３の照明装置１及びベッド２を、ベッド２の後端部側から表した正面図である。照明装置１の下部板部４０の高さ及び水平方向の寸法は、照明装置１をベッド２に隣接させた時に、下部板部４０の前面（即ち板部４０２）の全体がほぼベッド２に隠れるように設定されている。即ち、下部板部４０の上端部の高さがマットレス８０の上面の高さよりやや低く設定され、下部板部４０の図４における左端部の位置がマットレス８０の左端部のやや内側に設定されている。これにより、照明装置１をベッド２の前端部に隣接させた場合に、中間光源７０が直接視認され難いようになっている。図４においてベッドから左側にはみ出した前面板１０の下端近傍部分は、足元照明としての機能を有する部分である。
【００１９】
図４における一点鎖線Ａ−Ａにおける断面図、及び一点鎖線Ｂ−Ｂにおける断面図をそれぞれ図６、図７に示す。なお、図５は図４における一点鎖線Ａ−Ａおよび一点鎖線Ｂ−Ｂを照明装置１上に投影した正面図である。
図６に示すように、上部光源５０および下部光源６０は前面板１０、背面板２０、上蓋部３０及び下部板部４０が形成する空間の内側に設置されている。詳しくは、上部光源５０は当該空間の上部の内側面上（より詳しくは上蓋部３０の内側面上）に設置され、下部光源６０は当該空間の下部の内側面上（より詳しくは下部板部４０の底部４０１の内側面上）に設置されている。中間光源７０のうち第一中間光源部７０１は、前面板１０の下端と、下部板部４０の板部４０２の上端との間に設置されている。そして、上部光源５０、下部光源６０、および第一中間光源部７０１は照明装置１の横方向に沿って延設されている。
【００２０】
上部光源５０の光軸は下方より前方斜め方向に傾斜するよう設定されている。これにより、上部光源５０の光軸は前面板１０と交差する。下部光源６０の光軸は上方向に設定されている。背面板２０の前面板１０側の面は、上部光源５０及び下部光源の光６０を反射可能とされている。第一中間光源部７０１の光軸は上方向に設定されており、第一中間光源部７０１からの光が前面板１０内部に入射するようになっている。そのため、本実施形態のように中間光源７０を有する場合には、前面板１０は導光板としての機能（光拡散機能）を発揮できるように形成することが望ましい。即ち、光拡散材質で前面板１０を形成したり、あるいは透明な材料に対して微細な光拡散剤を分散させたものにより前面板１０を形成したりすることが望ましい。あるいは、前面板１０に模様や微細な凹凸等を付すことにより、光拡散機能を付与しても良い。
【００２１】
図７に表すように、第二中間光源部７０２は、前記した通り垂直方向に延設される。そしてその光軸は前面板１０の内部方向（即ち、水平方向）へ向けられている。このような構成により、前面板１０が導光板としての機能を有する場合には、第二中間光源部７０２を点灯することで、足元照明としての機能を発揮することもできる。
【００２２】
次に、図８を参照して、本実施形態における上部光源５０、下部光源６０、及び中間光源７０として用いられる線状光源（線状ＬＥＤアレイ）について詳述する。図８（ａ）あるいは図８（ｂ）に示すように、各線状光源は２列以上（本実施形態では２列）の線状ＬＥＤアレイからなる。図８（ａ）の例においては、一方の線状ＬＥＤアレイを構成するＬＥＤ１０１と、他方の線状ＬＥＤアレイを構成するＬＥＤ１０２とでは、発光色が異なっている。例えば、ＬＥＤ１０１の色温度を２３００Ｋ付近とし、ＬＥＤ１０２の色温度を７０００Ｋ付近とする。このように発光色の異なるＬＥＤを用いて各光源を構成することにより、２色を混色して、間の色温度を自由に得ることができる。また、上記２種類の発光色のＬＥＤを用いることに代えて、３種類のそれぞれ異なる発光色（例えば、２３００Ｋ付近、５０００Ｋ付近、及び７０００Ｋ付近の３色）を有するＬＥＤを用いても良い。このように３種類のＬＥＤを用いることで、黒体軌跡に沿った、より太陽光に近い自然な白色光を得ることができる。また、それ以上の種類の発光色のＬＥＤを用いても良い。
【００２３】
一方、図８（ｂ）の例においては、各一列の線状ＬＥＤアレイは、発光色の異なるＬＥＤ１０１、１０２が交互に配列されてなる。そして、隣り合う複数の線状ＬＥＤアレイ間では、その隣り合う方向に隣接する複数のＬＥＤ１０１、１０２の発光色が互いに異なっている。このような配列とすることによって、線状ＬＥＤアレイの長さ方向および横断方向のいずれにおいても、発光色ムラの発生を抑制することができる。これにより、各光源５０、６０、７０からの光を間接光として使用する場合であっても、発光色ムラの発生を効果的に防止することができる。特に、背面板２０に近いＬＥＤの光が、背面板２０に移りこんでムラになる。このため、ＬＥＤアレイ間の距離が、ＬＥＤアレイ中の隣り合うＬＥＤの間の距離より、狭い方が良い。
なお、３種類以上の発光色を有するＬＥＤを用いる場合、図８（ｂ）に相当する構成としては、３種類以上の発光色を有するＬＥＤを一定の順に配列するものとすることが好ましい。
【００２４】
次に、本実施形態の照明装置１の動作を、図９乃至１１を参照しながら説明する。  図９は照明装置１の制御に関する構成を表すブロック図である。図９に示すように、照明装置１は制御装置２００を有しており、制御装置２００は上部光源５０、下部光源６０及び中間光源７０のそれぞれと有線又は無線により接続されている。これにより、制御装置２００は、上部光源５０、下部光源６０及び中間光源７０の色調及び照度を、光源毎に独立して制御可能となっている。
図１０は、照明装置１を目覚まし装置として用いた場合の動作を表している。制御装置２００は、タイマーを内蔵しており、ユーザが予め設定した起床時刻に応じて、目覚まし制御を行う。最初に図１０（ａ）に示す第一段階（覚醒初期）が開始される。第一段階においては、下部光源６０のみが低照度で点灯され、その照度が漸増される。なお、睡眠中に下部光源６０を常夜灯として用いていた場合は、常夜灯としての設定照度から照度が漸増されるものとしても良い。そして第一段階の開始から所定の時間が経過するか、あるいは下部光源６０の照度が所定の値に達すると、図１０（ｂ）に示す第二段階（覚醒中期）へと移行する。この移行に際して、上部光源５０が点灯開始され、続いてその照度が漸増される。そして第二段階の開始から所定時間が経過するか、あるいは上部光源５０の照度が所定の値に達すると、図１０（ｃ）に示す第三段階（覚醒後期）へと移行する。第二段階から第三段階に移行する前に、下部光源６０の照度が漸減される。第三段階では下部光源６０は消灯され、上部光源５０のみの点灯が維持される。
【００２５】
第一段階、第二段階、第三段階の順に覚醒段階が進行するに従って、上部光源５０及び下部光源６０の色温度が徐々に上昇するように制御される。あるいは、いずれか一方の光源、例えば下部光源６０のみの色温度が上昇するようにしても良い。これにより、日の出から徐々に太陽が昇っていく状況を、その色調においても模すことができるとともに、より覚醒を促す高色温度へと変化させていくことができる。そのため、より自然な目覚めを促すことができる。その場合の色温度を、覚醒初期の第一段階においては２３００Ｋ付近とし、覚醒中期の第二段階においては５０００Ｋ付近とし、覚醒後期の第三段階においては６７００Ｋ以上とすることが望ましい。
なお、中間光源７０を、下部光源６０と同様の制御により、目覚まし用に用いても良い。
また、制御装置２００は、就寝者の覚醒状態を検知して、その状態に応じて上記の目覚まし制御を実行するものとしても良い。これにより、より快適な目覚めを提供することができる。
【００２６】
上述した通り、上部光源５０の光軸は下方向より斜め前方に傾斜するよう設定されている。このことにより、上部光源５０の光軸は図１１中の矢印にて示すように、就寝者３の顔面、特に目近辺の位置を通るように設定されている。このことから、第二段階（覚醒中期）から第三段階（覚醒後期）にかけて上部光源５０の照度が上昇し、就寝者３の目近辺に上部光源からの直接光が照射されることにより、より強い目覚めの効果を発揮することができる。このように上部光源５０の照射対象を就寝者３の目付近に限定することにより部屋全体が明るくならず、他の就寝者の睡眠を阻害しにくい。なお、直接光の照射によるグレアを防止するために、上部光源５０には拡散板カバーを設置するか、または、前面板１０の、上部光源５０の光軸が交差する部位に光拡散領域を設けても良い。上部光源５０は水平方向に延在する線状光源であることから、就寝者３が寝返りを打ったとしても、上部光源５０からの光が就寝者３の目周辺に引き続き照射されるので、高い目覚めの効果が継続的に発揮できる。
【００２７】
以上は、照明装置１を目覚まし用途に用いた例である。しかし、照明装置１の用途は目覚まし用途にとどまらない。本実施形態に係る照明装置１は、各光源５０、６０、７０の色調および照度を個別かつ自由に設定・制御可能である。そのため、ユーザによる手動設定又は予めの設定からの選択により、例えば下部光源６０のみを低照度で点灯させることにより足元灯又は常夜灯として用いることができ、あるいは上部光源５０、あるいは中間光源７０（第一中間光源部７０１）のみを点灯させることで読書灯として用いることができる。また、第二中間光源部７０２を足元灯として用いる場合、ベッドから降り立った人の動きをセンサーで感知して、第二中間光源部７０２を点灯させる構成とすることもできる。
上部光源５０および下部光源６０からの光は背面板２０の反射面に反射するため、広い面積における面的な明るさを実現することができる。更に、中間光源７０と導光板としての前面板１０とを併用することにより、更にその明るさを増すことができる。ベッドの上で就寝前などに読書をする場合、従来のベッドにしばしば装着されている背面照明では自分の体が影を形成し、本が読みづらいということがあった。スタンド照明やスポット照明で光の向きを変更できるものもあったが、自分の体の動きに併せて都度、光の向きを調整することが必要であった。この点、本実施形態の照明装置では、広い面積における面的な発光により、たとえヘッドボード（即ち照明装置１）にもたれて読書をしたとしても、自分の体による影は形成されにくい。また、寝返りを打つなどして体位を変えたとしても、明るさの点ではほぼ影響なく本を読み続けることができる。
【００２８】
次に図１２を参照して、中間光源７０について詳述する。図１２（ａ）は図５中において破線Ｃにて示した領域の内部を拡大して模式的に表す断面図である。図示されるように、前面板１０の内側の角部は角形に形成されている。そのため、前面板１０が導光板として機能する場合に、光の屈折が原因となって、内側の角部を起点とした一点鎖線にて示すような光線ムラが発生する場合がある。
そこで、角形に形成することに代えて、図１２（ｂ）に示すように、前面板１０の内側の角部を曲線形状（丸み形状）に形成することにより光の屈折を調整（抑制）することで、上記のような光線ムラを抑制することができる。また、図１２（ｃ）に示すように、中間光源７０を一体型のものとして、上記の内側の角部の曲線形状に沿う曲線形状とすることにより、更に光線ムラを抑制する効果を高めることができる。
【００２９】
本発明は、前記各局面および前記実施形態の説明に何ら限定されるものではない。特許請求の範囲の記載を逸脱せず、当業者が容易に想到できる範囲で種々の変形態様も本発明に含まれる。
例えば、上記実施形態においては中間光源７０を用いるものとしたが、これを用いないものとしても良い。前面板１０の外形を略Ｌ字状としたが、四角形状その他の形状としても良い。
【００３０】
照明装置１はベッド２と別体として説明したが、照明装置１がヘッドボードとしてベッド２と一体化されているものとしても良い。また、照明装置１はソファやソファーベッド、布団等と併用しても良く、更には単独の照明装置として使用しても良い。
本明細書の中で明示した論文、公開特許公報、特許公報などの内容は、その全ての内容を援用によって引用することとする。
【符号の説明】
【００３１】
１…照明装置
１０…前面板
２０…背面板
５０…上部光源
６０…下部光源
７０…中間光源
【図１】
0005758310.tif 000002
【図２】
0005758310.tif 000003
【図３】
0005758310.tif 000004
【図４】
0005758310.tif 000005
【図５】
0005758310.tif 000006
【図６】
0005758310.tif 000007
【図７】
0005758310.tif 000008
【図８】
0005758310.tif 000009
【図９】
0005758310.tif 000010
【図１０】
0005758310.tif 000011
【図１１】
0005758310.tif 000012
【図１２】
0005758310.tif 000013